(57)【要約】【課題】  モードレバーの位置ずれを阻止すること。【解決手段】  シャーシ１の一端側にヘッドシリンダ２が配置されると共に、該シャーシ１の他端側にローディングモータ３により連動機構４を介して正逆回転されるピニオン５ａが配置され、モードレバー１０がシャーシ１上に一定範囲内移動可能に配置され、該モードレバー１０の他端部１０Ｂの他側縁に形成したラック１７が前記ピニオン５ａに噛合されており、アンローディング信号に基づいて磁気テープをテープカセットに引き込むようにした磁気テープ装置において、前記モードレバー１０の他端部１０Ｂの下面に接近または当接して該モードレバー１０の横断方向に沿って延びる押さえ板３９ａと該押さえ板３９ａの両端から直角に折り曲げられてシャーシ１に係止される一対の脚板３９ｂ，３９ｃとからなる門型押さえ枠３９を有している。【選択図】        図１
0003127005.tif 000002
【実用新案登録請求の範囲】
【請求項１】
シャーシの一端側にヘッドシリンダが配置されると共に、該シャーシの他端側にローデ
ィングモータにより連動機構を介して正逆回転されるピニオンが配置され、前記ヘッドシ
リンダを間に挟んで左右一対の長孔状ガイド孔がシャーシに形成され、該各ガイド孔に一
対のガイドピン付き移動台がそれぞれ前後進可能に係合され、モードレバーの一端部に形
成した長孔状支持孔をシャーシ上の支持ピンに嵌合させると共に、該モードレバーの他端
部の一側縁をシャーシから切り起こした略コ字状支持片の凹部に嵌入させることにより、
そのモードレバーがシャーシ上に一定範囲内移動可能に配置され、前記モードレバーの一
端部がローディング機構を介して前記各移動台に連動連結され、該モードレバーの他端部
の他側縁に形成したラックが前記ピニオンに噛合されており、ローディング信号に基づい
てローディングモータにより連動機構、ピニオン、ラック、モードレバー及びローディン
グ機構を介して各移動台を各ガイド孔に沿って前進させ、該各移動台上のガイドピンでテ
ープカセットから磁気テープを引き出して前記ヘッドシリンダに巻き付け、アンローディ
ング信号に基づいて前記とは逆の動作により各移動台を各ガイド孔に沿って後進させ、磁
気テープをテープカセットに引き込むようにした磁気テープ装置において、前記モードレ
バーの他端部の下面に接近または当接して該モードレバーの横断方向に沿って延びる押さ
え板と該押さえ板の両端から直角に折り曲げられた一対の脚板とからなる門型押さえ枠を
有し、該門型押さえ枠の一方の脚板の端部側縁に凹溝を備えたフック部が一体形成され、
該フック部に対向してシャーシに係合孔が形成され、前記門型押さえ枠の他方の脚板の端
縁から側方に直角に折れ曲がる当て板が一体形成され、該当て板に形成した挿通孔に対向
してシャーシにねじ孔が形成されており、前記フック部の凹溝を係合孔の周縁部に係合さ
せると共に、当て板の挿通孔を通してシャーシのねじ孔にビスをねじ込むことことを特徴
とする磁気テープ装置。
【請求項２】
シャーシの一端側にヘッドシリンダが配置されると共に、該シャーシの他端側にローデ
ィングモータにより連動機構を介して正逆回転されるピニオンが配置され、前記ヘッドシ
リンダを間に挟んで左右一対の長孔状ガイド孔がシャーシに形成され、該各ガイド孔に一
対のガイドピン付き移動台がそれぞれ前後進可能に係合され、モードレバーの一端部に形
成した長孔状支持孔をシャーシ上の支持ピンに嵌合させると共に、該モードレバーの他端
部の一側縁をシャーシから切り起こした略コ字状支持片の凹部に嵌入させることにより、
そのモードレバーがシャーシ上に一定範囲内移動可能に配置され、前記モードレバーの一
端部がローディング機構を介して前記各移動台に連動連結され、該モードレバーの他端部
の他側縁に形成したラックが前記ピニオンに噛合されており、ローディング信号に基づい
てローディングモータにより連動機構、ピニオン、ラック、モードレバー及びローディン
グ機構を介して各移動台を各ガイド孔に沿って前進させ、該各移動台上のガイドピンでテ
ープカセットから磁気テープを引き出して前記ヘッドシリンダに巻き付け、アンローディ
ング信号に基づいて前記とは逆の動作により各移動台を各ガイド孔に沿って後進させ、磁
気テープをテープカセットに引き込むようにした磁気テープ装置において、前記モードレ
バーの他端部の下面に接近または当接して該モードレバーの横断方向に沿って延びる押さ
え板と該押さえ板の両端から直角に折り曲げられた一対の脚板とからなる門型押さえ枠を
有し、該門型押さえ枠の一方の脚板の端部側縁に凹溝を備えたフック部が一体形成され、
該フック部に対向してシャーシに係合孔が形成され、前記一方の脚板に部分的にポンチ加
工を施すことにより側方に突出する半球状突起部が一体突設されると共に、該突起部に対
向してシャーシにその突起部とほぼ同径の抜止孔が形成され、前記門型押さえ枠の他方の
脚板の端縁から側方に直角に折れ曲がる当て板が一体形成され、該当て板の先端から側方
に向かって略Ｌ字状に折れ曲がる舌片が一体形成され、該舌片に対向してシャーシにその
舌片の幅よりも若干広幅の係止孔が形成されており、前記フック部の凹溝を係合孔の周縁
部に係合させ、それと同時に、突起部を抜止孔に嵌合させ、前記当て板をシャーシに当接
させ、且つ、前記舌片を係止孔に差し込んで係止することを特徴とする磁気テープ装置。
【請求項３】
シャーシの一端側にヘッドシリンダが配置されると共に、該シャーシの他端側にローデ
ィングモータにより連動機構を介して正逆回転されるピニオンが配置され、前記ヘッドシ
リンダを間に挟んで左右一対の長孔状ガイド孔がシャーシに形成され、該各ガイド孔に一
対のガイドピン付き移動台がそれぞれ前後進可能に係合され、モードレバーの一端部に形
成した長孔状支持孔をシャーシ上の支持ピンに嵌合させると共に、該モードレバーの他端
部の一側縁をシャーシから切り起こした略コ字状支持片の凹部に嵌入させることにより、
そのモードレバーがシャーシ上に一定範囲内移動可能に配置され、前記モードレバーの一
端部がローディング機構を介して前記各移動台に連動連結され、該モードレバーの他端部
の他側縁に形成したラックが前記ピニオンに噛合されており、ローディング信号に基づい
てローディングモータにより連動機構、ピニオン、ラック、モードレバー及びローディン
グ機構を介して各移動台を各ガイド孔に沿って前進させ、該各移動台上のガイドピンでテ
ープカセットから磁気テープを引き出して前記ヘッドシリンダに巻き付け、アンローディ
ング信号に基づいて前記とは逆の動作により各移動台を各ガイド孔に沿って後進させ、磁
気テープをテープカセットに引き込むようにした磁気テープ装置において、前記モードレ
バーの他端部の下面に接近または当接して該モードレバーの横断方向に沿って延びる押さ
え板と該押さえ板の両端から直角に折り曲げられた一対の脚板とからなる門型押さえ枠を
有し、該門型押さえ枠の一方の脚板の端部側縁に凹溝を備えたフック部が一体形成され、
該フック部に対向してシャーシに係合孔が形成され、前記一方の脚板に部分的に折り曲げ
て側方に突出され前記押さえ板と平行する抜止面を備えた側面視略三角状突起部が一体突
設されると共に、該突起部に対向してシャーシにその突起部の横幅とほぼ同一幅の抜止孔
が形成され、前記門型押さえ枠の他方の脚板の端縁から側方に直角に折れ曲がる当て板が
一体形成され、該当て板の先端から側方に向かって略Ｌ字状に折れ曲がる舌片が一体形成
され、該舌片に対向してシャーシにその舌片の幅よりも若干広幅の係止孔が形成されてお
り、前記フック部の凹溝を係合孔の周縁部に係合させ、それと同時に、突起部の抜止面を
抜止孔の周縁部に嵌合させ、前記当て板をシャーシに当接させ、且つ、前記舌片を係止孔
に差し込んで係止することを特徴とする磁気テープ装置。
【請求項４】
シャーシの一端側にヘッドシリンダが配置されると共に、該シャーシの他端側にローデ
ィングモータにより連動機構を介して正逆回転されるピニオンが配置され、前記ヘッドシ
リンダを間に挟んで左右一対の長孔状ガイド孔がシャーシに形成され、該各ガイド孔に一
対のガイドピン付き移動台がそれぞれ前後進可能に係合され、モードレバーの一端部に形
成した長孔状支持孔をシャーシ上の支持ピンに嵌合させると共に、該モードレバーの他端
部の一側縁をシャーシから切り起こした略コ字状支持片の凹部に嵌入させることにより、
そのモードレバーがシャーシ上に一定範囲内移動可能に配置され、前記モードレバーの一
端部がローディング機構を介して前記各移動台に連動連結され、該モードレバーの他端部
の他側縁に形成したラックが前記ピニオンに噛合されており、ローディング信号に基づい
てローディングモータにより連動機構、ピニオン、ラック、モードレバー及びローディン
グ機構を介して各移動台を各ガイド孔に沿って前進させ、該各移動台上のガイドピンでテ
ープカセットから磁気テープを引き出して前記ヘッドシリンダに巻き付け、アンローディ
ング信号に基づいて前記とは逆の動作により各移動台を各ガイド孔に沿って後進させ、磁
気テープをテープカセットに引き込むようにした磁気テープ装置において、前記モードレ
バーの他端部の下面に接近または当接して該モードレバーの横断方向に沿って延びる押さ
え板と該押さえ板の両端から直角に折り曲げられてシャーシに係止される一対の脚板とか
らなる門型押さえ枠を有することを特徴とする磁気テープ装置。
【請求項５】
前記門型押さえ枠の一方の脚板の端部側縁に凹溝を備えたフック部が一体形成され、該
フック部に対向してシャーシに係合孔が形成され、前記門型押さえ枠の他方の脚板の端縁
から側方に直角に折れ曲がる当て板が一体形成され、該当て板に形成した挿通孔に対向し
てシャーシにねじ孔が形成されており、前記フック部の凹溝を係合孔の周縁部に係合させ
ると共に、当て板の挿通孔を通してシャーシのねじ孔にビスをねじ込むことを特徴とする
請求項４に記載の磁気テープ装置。
【請求項６】
前記門型押さえ枠の一方の脚板の端部側縁に凹溝を備えたフック部が一体形成され、該
フック部に対向してシャーシに係合孔が形成され、前記門型押さえ枠の他方の脚板の端縁
から側方に直角に折れ曲がる当て板が一体形成され、該当て板の先端から側方に向かって
略Ｌ字状に折れ曲がる舌片が一体形成され、該舌片に対向してシャーシにその舌片の幅よ
りも若干広幅の係止孔が形成されており、前記フック部の凹溝を係合孔の周縁部に係合さ
せると共に、前記当て板をシャーシに当接させ、且つ、前記舌片を係止孔に差し込んで係
止することを特徴とする請求項４に記載の磁気テープ装置。
【請求項７】
前記一方の脚板に部分的にポンチ加工を施すことにより側方に突出する半球状突起部が
一体突設されると共に、該突起部に対向してシャーシにその突起部とほぼ同径の抜止孔が
形成されており、前記フック部の凹溝を係合孔の周縁部に係合させ、それと同時に、突起
部を抜止孔に嵌合させるようにしたことを特徴とする請求項５または６に記載の磁気テー
プ装置。
【請求項８】
前記一方の脚板に部分的に折り曲げて側方に突出され前記押さえ板と平行する抜止面を
備えた側面視略三角状突起部が一体突設されると共に、該突起部に対向してシャーシにそ
の突起部の横幅とほぼ同一幅の抜止孔が形成されており、前記フック部の凹溝を係合孔の
周縁部に係合させ、それと同時に、突起部の抜止面を抜止孔の周縁部に嵌合させるように
したことを特徴とする請求項５または６に記載の磁気テープ装置。
【考案の詳細な説明】
【技術分野】
【０００１】
本考案はモードレバーの位置ずれを阻止するようにした磁気テープ装置に関する。
【背景技術】
【０００２】
従来、磁気テープ装置の一例として図８〜図１１に示すものがある。図８は磁気テープ
装置の平面図、図９は同裏面図、図１０は同側面図、図１１は要部の斜視図であって、シ
ャーシ１の一端側にヘッドシリンダ２が配置されると共に、該シャーシ１の他端側にロー
ディングモータ３により連動機構４を介して正逆回転されるピニオン５ａが設けられ、該
ピニオン５ａはカム溝（図示せず）付き回転カム６に同心状に一体形成した円板５の外周
面のほぼ半周に形成され、前記ヘッドシリンダ２を間に挟んで左右一対の長孔状ガイド孔
７がシャーシ１に形成され、該各ガイド孔７に一対のガイドピン８付き移動台９がそれぞ
れ前後進ａ，ｂ可能に係合され、モードレバー１０の一端部１０Ａに該モードレバー１０
の長手方向に沿って形成した長孔状支持孔１１をシャーシ１上の支持ピン１２に嵌合させ
ると共に、該支持ピン１２に抜止ワッシャ１３を嵌合させ、そのモードレバー１０の他端
部１０Ｂの一側縁１０ａをシャーシ１から切り起こした略コ字状支持片１４，１５の凹部
１４ａ，１５ａに嵌入させることにより、モードレバー１０がシャーシ１上に矢印ｃ，ｄ
方向に一定範囲内移動可能に配置され、前記モードレバー１０の一端部１０Ａがローディ
ング機構１６を介して前記各移動台９に連動連結され、該モードレバー１０の他端部１０
Ｂの他側縁１０ｂに形成したラック１７が前記ピニオン５ａに噛合されている。
【０００３】
図９に示すように、前記連動機構４は、回転カム６の外周縁に形成したウォ−ムホイー
ル１８と、該ウォ−ムホイール１８に噛合するウォ−ムギヤ１９とを有し、該ピニオン１
９がプーリ２０及びベルト２１を介してローディングモータ３の回転軸に連動連結されて
おり、該ローディングモータ３により連動機構４（プーリ２０及びベルト２１、ウォ−ム
ギヤ１９、ウォ−ムホイール１８）、回転カム６、ピニオン５ａ及びラック１７を介して
モードレバー１０を矢印ｃ，ｄ方向に移動させる。
【０００４】
図９に示すように、前記ローディング機構１６は、シャーシ１に枢着されて互いに噛合
する一対の扇形歯車２３と、該各扇形歯車２３に一体形成されたアーム２４と、該各アー
ム２４を前記各移動台９に連結する連結リンク２５とを有し、一方の扇形歯車２３に同心
状に一体形成した円板２６とモードレバー１０の一端部１０Ａとの間でシャーシ１上に略
扇形カム板２７が回転可能に配置され、該カム板２７の広幅状円弧面に部分的に形成した
歯部２７ａと円板２６の外周面に部分的に形成した歯部２６ａとが噛合可能に形成される
と共に、カム板２７の狭幅状円弧面に形成した歯部２７ｂとモードレバー１０の一端部１
０Ａに形成した歯部１０ｃとが噛合可能に形成されており、モードレバー１０を矢印ｃ，
ｄ方向に移動させ、歯部１０ｃ，２７ｂ、２７ａ，２６ａどうしを噛合させることにより
、扇形歯車２３、アーム２４及び連結リンク２５を介して各移動台９をガイド孔７に沿っ
て前後進ａ，ｂさせる。
【０００５】
図８中、２９は全幅消去ヘッド、３０は音声消去ヘッド、３１は音声・コントロールヘ
ッド、３２は固定テープガイドポスト、３３はテンションポスト、３４はキャプスタン、
３５はピンチローラ、３６はテープカセットであって、磁気テープｔの供給リール３６ａ
及び巻取リール３６ｂを有する。図９中、３７はキャプスタンモータである。
【０００６】
動作を説明すると、テープカセット３６をセットすると、それを検知するローディング
信号に基づいてローディングモータ３により連動機構４を介してピニオン５ａを矢印ｅ方
向に回転させることにより、該ピニオン５ａに噛合するラック１７を介してモードレバー
１０を矢印ｃ方向に移動させることにより、ローディング機構１６を介して各移動台９を
前進ａさせ、該各移動台９上のガイドピン８でテープカセット３６から磁気テープｔを引
き出してヘッドシリンダ２に巻き付ける（図８実線参照）。この状態で、再生や記録また
は消去の動作を行う。
【０００７】
エジェクト釦を押すなどして発信されるアンローディング信号に基づいて上記とは逆の
動作が行われる。即ち、ローディングモータ３により連動機構４を介してピニオン５ａを
矢印ｆ方向に回転させることにより、該ピニオン５ａに噛合するびラック１７を介してモ
ードレバー１０を矢印ｄ方向に移動させ、ローディング機構１６を介して各移動台９を後
進ｂさせ、磁気テープｔをテープカセット３６に引き込む。なお、関連する技術として特
許文献１に記載したものがある。
【特許文献１】特開２００３−１２３４５８号公報
【考案の開示】
【考案が解決しようとする課題】
【０００８】
上記従来の構成では、図８に実線で示すように、磁気テープｔのローディング状態で、
例えば玩具などの異物Ｇがカセット取出口から内部に入ってガイド孔７に嵌まり込み、ア
ンローディング信号に基づいて後進ｂする移動台９がその異物Ｇに引っ掛かってモードレ
バー１０の矢印ｆ方向への移動が阻止されることがあり（図８仮想線参照）、この状態で
は移動停止状態のモードレバー１０と矢印ｆ方向に回転しようとするピニオン５ａとの間
に過大な負荷がかかり、その過大な負荷によりモードレバー１０の他端部１０Ｂの支持片
１４，１５に係合する一側縁１０ａを中心にして該他端部１０Ｂの他側縁１０ｂが位置ず
れし、ラック１７がピニオン５ａから外れることがある（図１０及び図１１の仮想線参照
）。
【０００９】
また、落下試験で磁気テープ装置を所定高さ位置から落下させたときにも、その落下の
衝撃による過大な負荷によりラック１７がピニオン５ａから外れることがある（図１０及
び図１１の仮想線参照）。
【００１０】
本考案は、上記従来の欠点に鑑み、モードレバーの位置ずれを阻止するようにした磁気
テープ装置を提供することを目的としている。
【課題を解決するための手段】
【００１１】
上記目的を達成するため、請求項１に記載の考案は、シャーシの一端側にヘッドシリン
ダが配置されると共に、該シャーシの他端側にローディングモータにより連動機構を介し
て正逆回転されるピニオンが配置され、前記ヘッドシリンダを間に挟んで左右一対の長孔
状ガイド孔がシャーシに形成され、該各ガイド孔に一対のガイドピン付き移動台がそれぞ
れ前後進可能に係合され、モードレバーの一端部に形成した長孔状支持孔をシャーシ上の
支持ピンに嵌合させると共に、該モードレバーの他端部の一側縁をシャーシから切り起こ
した略コ字状支持片の凹部に嵌入させることにより、そのモードレバーがシャーシ上に一
定範囲内移動可能に配置され、前記モードレバーの一端部がローディング機構を介して前
記各移動台に連動連結され、該モードレバーの他端部の他側縁に形成したラックが前記ピ
ニオンに噛合されており、ローディング信号に基づいてローディングモータにより連動機
構、ピニオン、ラック、モードレバー及びローディング機構を介して各移動台を各ガイド
孔に沿って前進させ、該各移動台上のガイドピンでテープカセットから磁気テープを引き
出して前記ヘッドシリンダに巻き付け、アンローディング信号に基づいて前記とは逆の動
作により各移動台を各ガイド孔に沿って後進させ、磁気テープをテープカセットに引き込
むようにした磁気テープ装置において、前記モードレバーの他端部の下面に接近または当
接して該モードレバーの横断方向に沿って延びる押さえ板と該押さえ板の両端から直角に
折り曲げられた一対の脚板とからなる門型押さえ枠を有し、該門型押さえ枠の一方の脚板
の端部側縁に凹溝を備えたフック部が一体形成され、該フック部に対向してシャーシに係
合孔が形成され、前記門型押さえ枠の他方の脚板の端縁から側方に直角に折れ曲がる当て
板が一体形成され、該当て板に形成した挿通孔に対向してシャーシにねじ孔が形成されて
おり、前記フック部の凹溝を係合孔の周縁部に係合させると共に、当て板の挿通孔を通し
てシャーシのねじ孔にビスをねじ込むことことを特徴としている。
【００１２】
請求項２に記載の考案は、シャーシの一端側にヘッドシリンダが配置されると共に、該
シャーシの他端側にローディングモータにより連動機構を介して正逆回転されるピニオン
が配置され、前記ヘッドシリンダを間に挟んで左右一対の長孔状ガイド孔がシャーシに形
成され、該各ガイド孔に一対のガイドピン付き移動台がそれぞれ前後進可能に係合され、
モードレバーの一端部に形成した長孔状支持孔をシャーシ上の支持ピンに嵌合させると共
に、該モードレバーの他端部の一側縁をシャーシから切り起こした略コ字状支持片の凹部
に嵌入させることにより、そのモードレバーがシャーシ上に一定範囲内移動可能に配置さ
れ、前記モードレバーの一端部がローディング機構を介して前記各移動台に連動連結され
、該モードレバーの他端部の他側縁に形成したラックが前記ピニオンに噛合されており、
ローディング信号に基づいてローディングモータにより連動機構、ピニオン、ラック、モ
ードレバー及びローディング機構を介して各移動台を各ガイド孔に沿って前進させ、該各
移動台上のガイドピンでテープカセットから磁気テープを引き出して前記ヘッドシリンダ
に巻き付け、アンローディング信号に基づいて前記とは逆の動作により各移動台を各ガイ
ド孔に沿って後進させ、磁気テープをテープカセットに引き込むようにした磁気テープ装
置において、前記モードレバーの他端部の下面に接近または当接して該モードレバーの横
断方向に沿って延びる押さえ板と該押さえ板の両端から直角に折り曲げられた一対の脚板
とからなる門型押さえ枠を有し、該門型押さえ枠の一方の脚板の端部側縁に凹溝を備えた
フック部が一体形成され、該フック部に対向してシャーシに係合孔が形成され、前記一方
の脚板に部分的にポンチ加工を施すことにより側方に突出する半球状突起部が一体突設さ
れると共に、該突起部に対向してシャーシにその突起部とほぼ同径の抜止孔が形成され、
前記門型押さえ枠の他方の脚板の端縁から側方に直角に折れ曲がる当て板が一体形成され
、該当て板の先端から側方に向かって略Ｌ字状に折れ曲がる舌片が一体形成され、該舌片
に対向してシャーシにその舌片の幅よりも若干広幅の係止孔が形成されており、前記フッ
ク部の凹溝を係合孔の周縁部に係合させ、それと同時に、突起部を抜止孔に嵌合させ、前
記当て板をシャーシに当接させ、且つ、前記舌片を係止孔に差し込んで係止することを特
徴としている。
【００１３】
請求項３に記載の考案は、シャーシの一端側にヘッドシリンダが配置されると共に、該
シャーシの他端側にローディングモータにより連動機構を介して正逆回転されるピニオン
が配置され、前記ヘッドシリンダを間に挟んで左右一対の長孔状ガイド孔がシャーシに形
成され、該各ガイド孔に一対のガイドピン付き移動台がそれぞれ前後進可能に係合され、
モードレバーの一端部に形成した長孔状支持孔をシャーシ上の支持ピンに嵌合させると共
に、該モードレバーの他端部の一側縁をシャーシから切り起こした略コ字状支持片の凹部
に嵌入させることにより、そのモードレバーがシャーシ上に一定範囲内移動可能に配置さ
れ、前記モードレバーの一端部がローディング機構を介して前記各移動台に連動連結され
、該モードレバーの他端部の他側縁に形成したラックが前記ピニオンに噛合されており、
ローディング信号に基づいてローディングモータにより連動機構、ピニオン、ラック、モ
ードレバー及びローディング機構を介して各移動台を各ガイド孔に沿って前進させ、該各
移動台上のガイドピンでテープカセットから磁気テープを引き出して前記ヘッドシリンダ
に巻き付け、アンローディング信号に基づいて前記とは逆の動作により各移動台を各ガイ
ド孔に沿って後進させ、磁気テープをテープカセットに引き込むようにした磁気テープ装
置において、前記モードレバーの他端部の下面に接近または当接して該モードレバーの横
断方向に沿って延びる押さえ板と該押さえ板の両端から直角に折り曲げられた一対の脚板
とからなる門型押さえ枠を有し、該門型押さえ枠の一方の脚板の端部側縁に凹溝を備えた
フック部が一体形成され、該フック部に対向してシャーシに係合孔が形成され、前記一方
の脚板に部分的に折り曲げて側方に突出され前記押さえ板と平行する抜止面を備えた側面
視略三角状突起部が一体突設されると共に、該突起部に対向してシャーシにその突起部の
横幅とほぼ同一幅の抜止孔が形成され、前記門型押さえ枠の他方の脚板の端縁から側方に
直角に折れ曲がる当て板が一体形成され、該当て板の先端から側方に向かって略Ｌ字状に
折れ曲がる舌片が一体形成され、該舌片に対向してシャーシにその舌片の幅よりも若干広
幅の係止孔が形成されており、前記フック部の凹溝を係合孔の周縁部に係合させ、それと
同時に、突起部の抜止面を抜止孔の周縁部に嵌合させ、前記当て板をシャーシに当接させ
、且つ、前記舌片を係止孔に差し込んで係止することを特徴としている。
【００１４】
請求項４に記載の考案は、シャーシの一端側にヘッドシリンダが配置されると共に、該
シャーシの他端側にローディングモータにより連動機構を介して正逆回転されるピニオン
が配置され、前記ヘッドシリンダを間に挟んで左右一対の長孔状ガイド孔がシャーシに形
成され、該各ガイド孔に一対のガイドピン付き移動台がそれぞれ前後進可能に係合され、
モードレバーの一端部に形成した長孔状支持孔をシャーシ上の支持ピンに嵌合させると共
に、該モードレバーの他端部の一側縁をシャーシから切り起こした略コ字状支持片の凹部
に嵌入させることにより、そのモードレバーがシャーシ上に一定範囲内移動可能に配置さ
れ、前記モードレバーの一端部がローディング機構を介して前記各移動台に連動連結され
、該モードレバーの他端部の他側縁に形成したラックが前記ピニオンに噛合されており、
ローディング信号に基づいてローディングモータにより連動機構、ピニオン、ラック、モ
ードレバー及びローディング機構を介して各移動台を各ガイド孔に沿って前進させ、該各
移動台上のガイドピンでテープカセットから磁気テープを引き出して前記ヘッドシリンダ
に巻き付け、アンローディング信号に基づいて前記とは逆の動作により各移動台を各ガイ
ド孔に沿って後進させ、磁気テープをテープカセットに引き込むようにした磁気テープ装
置において、前記モードレバーの他端部の下面に接近または当接して該モードレバーの横
断方向に沿って延びる押さえ板と該押さえ板の両端から直角に折り曲げられてシャーシに
係止される一対の脚板とからなる門型押さえ枠を有することを特徴としている。
【００１５】
請求項５に記載の考案は、請求項４に記載の考案において、前記門型押さえ枠の一方の
脚板の端部側縁に凹溝を備えたフック部が一体形成され、該フック部に対向してシャーシ
に係合孔が形成され、前記門型押さえ枠の他方の脚板の端縁から側方に直角に折れ曲がる
当て板が一体形成され、該当て板に形成した挿通孔に対向してシャーシにねじ孔が形成さ
れており、前記フック部の凹溝を係合孔の周縁部に係合させると共に、当て板の挿通孔を
通してシャーシのねじ孔にビスをねじ込むことを特徴としている。
【００１６】
請求項６記載の考案は、請求項４に記載の考案において、前記門型押さえ枠の一方の脚
板の端部側縁に凹溝を備えたフック部が一体形成され、該フック部に対向してシャーシに
係合孔が形成され、前記門型押さえ枠の他方の脚板の端縁から側方に直角に折れ曲がる当
て板が一体形成され、該当て板の先端から側方に向かって略Ｌ字状に折れ曲がる舌片が一
体形成され、該舌片に対向してシャーシにその舌片の幅よりも若干広幅の係止孔が形成さ
れており、前記フック部の凹溝を係合孔の周縁部に係合させると共に、前記当て板をシャ
ーシに当接させ、且つ、前記舌片を係止孔に差し込んで係止することを特徴としている。
【００１７】
請求項７に記載の考案は、請求項５または６に記載の考案において、前記一方の脚板に
部分的にポンチ加工を施すことにより側方に突出する半球状突起部が一体突設されると共
に、該突起部に対向してシャーシにその突起部とほぼ同径の抜止孔が形成されており、前
記フック部の凹溝を係合孔の周縁部に係合させ、それと同時に、突起部を抜止孔に嵌合さ
せるようにしたことを特徴としている。
【００１８】
請求項８に記載の考案は、請求項５または６に記載の考案において、前記一方の脚板に
部分的に折り曲げて側方に突出され前記押さえ板と平行する抜止面を備えた側面視略三角
状突起部が一体突設されると共に、該突起部に対向してシャーシにその突起部の横幅とほ
ぼ同一幅の抜止孔が形成されており、前記フック部の凹溝を係合孔の周縁部に係合させ、
それと同時に、突起部の抜止面を抜止孔の周縁部に嵌合させるようにしたことを特徴とし
ている。
【考案の効果】
【００１９】
請求項１に記載の考案は本考案の第１の実施の形態（図１〜図４参照）に対応するもの
であって、これによれば、門型押さえ枠の両脚板をシャーシに係止することにより、該門
型押さえ枠の押さえ板がモードレバーの他端部の下面に接近または当接されるので、例え
ば玩具などの異物がガイド孔に嵌まり込むことにより発生する過大な負荷や落下試験の際
の衝撃による過大な負荷がモードレバーのラックとピニオンとの間にかかったとしても、
該モードレバーの位置ずれを確実に阻止して、前記ラックがピニオンから外れないように
することができる。
【００２０】
前記門型押さえ枠の係止作業では、一方の脚板に一体形成したフック部の凹溝をシャー
シの係合孔の周縁部に係合させると共に、他方の脚板に一体形成した当て板の挿通孔を通
してシャーシのねじ孔にビスをねじ込むだけで、その門型押さえ枠をシャーシに確実に係
止することができる。
【００２１】
ここで重要なことは、従来、モードレバーの他端部の一側縁をシャーシから切り起こし
た略コ字状支持片の凹部に嵌入させることにより、該モードレバーの位置ずれを阻止して
いたということである。しかし、支持片だけでは、モードレバーに過大な負荷がかかった
ときに、そのモードレバーが支持片を支点にして傾き、ラックがピニオンから外れること
がある。そこで、本考案では、前記門型押さえ枠を付加して、その門型押さえ枠と支持片
とによる二重機構でモードレバーの位置ずれを阻止すると共に、そのモードレバーが一定
範囲内で円滑に移動できるようにしたものである。
【００２２】
請求項２に記載の考案は第２の実施の形態（図５及び図６参照）に対応するものであっ
て、これによれば、請求項１に記載の考案とほぼ同じ効果を得ることができ、特に、フッ
ク部をシャーシの係合孔に係合させると同時に、半球状突起部をシャーシの抜止孔に嵌合
させ、それと共に、舌片をシャーシの係止孔に差し込むことにより、門型押さえ枠をシャ
ーシに一層確実に係止することができ、その係止の際に、ビスが不要であるから、その不
要となった分だけ部品点数が少なくなって製作費が安くつくと共に、係止作業を能率的に
行うことができる。
【００２３】
請求項３に記載の考案は第３の実施の形態（図７参照）に対応するものであって、これ
によれば、請求項２に記載の考案とほぼ同じ効果を得ることができ、特に、フック部をシ
ャーシの係合孔に係合させると同時に、一方の脚板を部分的に折り曲げて形成した側面視
略三角形状突起部がシャーシの抜止孔されることにより、門型押さえ枠をシャーシに一層
確実に係止することができ、この場合、突起部の横幅と抜止孔の横幅とがほぼ同一に設定
されると共に、突起部の抜止面を押さえ板と平行した状態で抜止孔の周縁部に嵌合させる
ので、その突起部を抜止孔から不測に外れないように確実に係止することができ、その係
止の際に、ビスが不要であるから、その不要となった分だけ部品点数が少なくなって製作
費が安くつくと共に、係止作業を能率的に行うことができる。
【００２４】
請求項４に記載の考案によれば、門型押さえ枠の両脚板をシャーシに係止することによ
り、該門型押さえ枠の押さえ板がモードレバーの他端部の下面に接近または当接されるの
で、例えば玩具などの異物がガイド孔に嵌まり込むことにより発生する過大な負荷や落下
試験の際の衝撃による過大な負荷がモードレバーのラックとピニオンとの間にかかったと
しても、該モードレバーの位置ずれを確実に阻止して、前記ラックがピニオンから外れな
いようにすることができる。
【００２５】
ここで重要なことは、従来、モードレバーの他端部の一側縁をシャーシから切り起こし
た略コ字状支持片の凹部に嵌入させることにより、該モードレバーの位置ずれを阻止して
いたということである。しかし、支持片だけでは、モードレバーに過大な負荷がかかった
ときに、そのモードレバーが支持片を支点にして傾き、ラックがピニオンから外れること
がある。そこで、本考案では、前記門型押さえ枠を付加して、その門型押さえ枠と支持片
とによる二重機構でモードレバーの位置ずれを阻止すると共に、そのモードレバーが一定
範囲内で円滑に移動できるようにしたものである。
【００２６】
請求項５に記載の考案によれば、門型押さえ枠の一方の脚板に一体形成したフック部の
凹溝をシャーシの係合孔の周縁部に係合させると共に、該門型押さえ枠の他方の脚板に一
体形成した当て板の挿通孔を通してシャーシのねじ孔にビスをねじ込むだけで、その門型
押さえ枠をシャーシに確実に係止することができる。
【００２７】
請求項６に記載の考案によれば、門型押さえ枠の一方の脚板に一体形成したフック部の
凹溝を係合孔の周縁部に係合させると共に、該門型押さえ枠の他方の脚板に一体形成した
当て板をシャーシに当接させ、且つ、該当て板に一体形成した舌片を係止孔に差し込むだ
けで、その門型押さえ枠をシャーシに確実に係止することができる。
【００２８】
請求項７に記載の考案によれば、フック部をシャーシに係合させると同時に、一方の脚
板に一体突設した半球状突起部をシャーシの抜止孔に嵌合させることにより、門型押さえ
枠をシャーシに一層確実に係止することができる。
【００２９】
請求項８に記載の考案によれば、フック部をシャーシに係合させると同時に、一方の脚
板を部分的に折り曲げて形成した側面視略三角形状突起部がシャーシの抜止孔に嵌合され
ることにより、門型押さえ枠をシャーシに一層確実に係止することができ、この場合、突
起部の横幅と抜止孔の横幅とがほぼ同一に設定されると共に、突起部の抜止面を押さえ板
と平行した状態で抜止孔の周縁部に嵌合させるので、その突起部を抜止孔から不測に外れ
ないように確実に係止することができる。
【考案を実施するための最良の形態】
【００３０】
図１〜図４は本考案の第１の実施の形態である磁気テープ装置を示すものであって、図
１は磁気テープ装置の裏面図、図２は同要部の斜視図、図３は同要部の分解斜視図、図４
（ａ）は同要部の裏面図、（ｂ）はＡ−Ａ矢視図、（ｃ）はＢ−Ｂ矢視図、（ｄ）はＣ−
Ｃ矢視図である。
【００３１】
図１〜図３に示すように、モードレバー１０の他端部１０Ｂの下面に接近または当接し
て該モードレバー１０の横断方向に沿って延びる押さえ板３９ａと該押さえ板３９ａの両
端から直角に折り曲げられてシャーシ１に係止される一対の脚板３９ｂ，３９ｃとからな
る門型押さえ枠３９を有している。なお、図３中、４０は押さえ板３９ａの中央部から両
脚板３９ｂ，３９ｃにかけてプレス成形された補強突条部である。上記以外の構成は図８
〜図１１に示す構成とほぼ同じであるから、同一部分に同一符号を付してその説明を省略
する。
【００３２】
図３及び図４に示すように、一方の脚板３９ｂの端部側縁に凹溝４１ａを備えたフック
部４１が一体形成され、該フック部４１に対向してシャーシ１に係合孔４２が形成され、
他方の脚板３９ｃの端部から側方に直角に折れ曲がる当て板４３が一体形成され、該当て
板４３に形成した挿通孔４４に対向してシャーシ１にねじ孔４５が形成されており、前記
フック部４１の凹溝４１ａを係合孔４２の周縁部に係合させると共に、当て板４３の挿通
孔４４を通してシャーシ１のねじ孔４５にビス４６をねじ込むことにより、門型押さえ枠
３９をシャーシ１に係止している。
【００３３】
ローディング動作及びアンローディング動作は従来とほぼ同じであるから、その説明を
省略する。但し、そのアンローディング動作において、例えば玩具などの異物Ｇがガイド
孔７に嵌まり込んで移動台９を後進ｂさせることができなくなった場合には、マイクロコ
ンピュータからなる制御部の制御により、ローディングモータ３を所定時間（例えば３０
秒）駆動し、その所定時間内にテープカセット３６の排出を検知しないときに、エラー信
号を発信してローディングモータ３の駆動を停止させる。その後、前記異物Ｇを取り除い
てリセットする。
【００３４】
上記構成によれば、門型押さえ枠３９の両脚板３９ｂ，３９ｃをシャーシ１に係止する
ことにより、該門型押さえ枠３９の押さえ板３９ａがモードレバー１０の他端部１０Ｂの
下面に接近または当接されているので、例えば玩具などの異物Ｇ（図１参照）がガイド孔
７に嵌まり込むことにより発生する過大な負荷や落下試験の際の衝撃による過大な負荷が
モードレバー１０のラック１７とピニオン５ａとの間にかかったとしても、該モードレバ
ー１０の位置ずれ（図１０拡大仮想線参照）を確実に阻止して、前記ラック１７がピニオ
ン５ａから外れないようにすることができる。
【００３５】
前記門型押さえ枠３９の係止作業では、一方の脚板３９ｂに一体形成したフック部４１
の凹溝４１ａを係合孔４２の周縁部に係合させると共に、他方の脚板３９ｃに一体形成し
た当て板４３の挿通孔４４を通してねじ孔４５にビス４６をねじ込むだけで、その門型押
さえ枠３９をシャーシ１に確実に係止することができる。
【００３６】
ここで重要なことは、従来、モードレバー１０の他端部１０Ｂの一側縁１０ａをシャー
シ１から切り起こした略コ字状支持片１４，１５の凹部１４ａ，１５ａに嵌入させること
により、該モードレバー１０の位置ずれを阻止していたということである。しかし、支持
片１４，１５だけでは、モードレバー１０に過大な負荷がかかったときに、そのモードレ
バー１０が支持片１４，１５を支点にして傾き、ラック１７がピニオン５ａから外れるこ
とがある（図１０拡大仮想線参照）。そこで、本考案では、前記門型押さえ枠３９を付加
して、その門型押さえ枠３９と支持片１４，１５とによる二重機構でモードレバー１０の
位置ずれを阻止すると共に、そのモードレバー１０が一定範囲内で円滑に移動できるよう
にしたものである。
【００３７】
図５及び図６は本考案の第２の実施の形態である磁気テープ装置を示すものであって、
図５は磁気テープ装置の要部の分解斜視図、図６（ａ）は同要部の裏面図、（ｂ）はＤ−
Ｄ矢視図、（ｃ）はＥ−Ｅ矢視図、（ｄ）はＦ−Ｆ矢視図である。
【００３８】
図５及び図６（ａ）〜（ｃ）に示すように、門型押さえ枠３９の一方の脚板３９ｂに部
分的にポンチ加工を施すことにより側方に突出する半球状突起部４８が一体突設されると
共に、該突起部４８に対向してシャーシ１に円形状抜止孔４９が形成され、その突起部４
８の外径ｋ１と抜止孔４９の外径ｋ２とがほぼ同一に設定されている。
【００３９】
図５及び図６（ａ）（ｄ）に示すように、、門型押さえ枠３９の他方の脚板３９ｃ側の
当て板４３の先端から側方に向かって略Ｌ字状に折れ曲がる舌片５０が一体形成され、該
舌片５０に対向してシャーシ１に円形（または四角形）の係止孔５１が形成され、その舌
片５０の横幅ｍ１よりも係止孔５１が若干広幅ｍ２に形成されている（ｍ１＜ｍ２）。上
記以外の構成で図１〜図４に示す構成と同一部分に同一符号を付して、その説明を省略す
る。
【００４０】
門型押さえ枠３９の係止作業を説明すると、一方の脚板３９ｂに一体形成したフック部
４１の凹溝４１ａを係合孔４２の周縁部に係合させ、それとほぼ同時に、半球状突起部４
８をシャーシ１の抜止孔４９に嵌合させ、それと共に、他方の脚板３９ｃに一体形成した
当て板４３をシャーシ１に当接させ、且つ、該当て板４３に一体形成した舌片５０を係止
孔５１に差し込む。
【００４１】
上記構成によれば、第１の実施の形態（図１〜図４参照）とほぼ同じ効果を得ることが
でき、特に、フック部４１をシャーシ１の係合孔４２に係合させると同時に、半球状突起
部４８をシャーシ１の抜止孔４９に嵌合させ、それと共に、舌片５０をシャーシ１の係止
孔５１に差し込むことにより、門型押さえ枠３９をシャーシ１に一層確実に係止すること
ができ、その係止の際に、ビス４６（図３参照）が不要であるから、その不要となった分
だけ部品点数が少なくなって製作費が安くつくと共に、係止作業を能率的に行うことがで
きる。
【００４２】
図７（ａ）は本考案の第３の実施の形態である磁気テープ装置の要部の分解斜視図を示
し、図７（ｂ）は同要部の横断面図を示すものであって、一方の脚板３９ｂに部分的に折
り曲げて側方に突出され押さえ板３９ａと平行する抜止面５２ａを備えた側面視略三角状
突起部５２が一体突設されると共に、該突起部５２に対向してシャーシ１にその突起部５
２の横幅ｍ３とほぼ同一幅ｍ４の四角形状抜止孔５３が形成されている。上記以外の構成
は第２の実施の形態（図５及び図６参照）とほぼ同じであるから、同一部分に同一符号を
付してその説明を省略する。
【００４３】
上記構成によれば、第２の実施の形態（図５、図６参照）とほぼ同じ効果を得ることが
でき、特に、フック部４１をシャーシ１の係合孔４２に係合させると同時に、一方の脚板
３９ｂを部分的に折り曲げて形成した側面視略三角形状突起部５２がシャーシ１の抜止孔
５３されることにより、門型押さえ枠３９をシャーシ１に一層確実に係止することができ
、この場合、突起部５２の横幅ｍ３と抜止孔５３の横幅ｍ４とがほぼ同一に設定されると
共に、突起部５２の抜止面５２ａを押さえ板３９ａと平行した状態で抜止孔５３の周縁部
に嵌合させるので、その突起部５２を抜止孔５３から不測に外れないように確実に係止す
ることができ、その係止の際に、ビス４６（図３参照）が不要であるから、その不要とな
った分だけ部品点数が少なくなって製作費が安くつくと共に、係止作業を能率的に行うこ
とができる。
【図面の簡単な説明】
【００４４】
【図１】本考案の第１の実施の形態である磁気テープ装置を示す裏面図である。
【図２】同要部の斜視図である。
【図３】同要部の分解斜視図である。
【図４】（ａ）は同要部の裏面図、（ｂ）はＡ−Ａ矢視図、（ｃ）はＢ−Ｂ矢視図、（ｄ）はＣ−Ｃ矢視図である。
【図５】本考案の第２の実施の形態である磁気テープ装置の要部の分解斜視図である。
【図６】（ａ）は同要部の裏面図、（ｂ）はＤ−Ｄ矢視図、（ｃ）はＥ−Ｅ矢視図、（ｄ）はＦ−Ｆ矢視図である。
【図７】（ａ）は本考案の第３の実施の形態である磁気テープ装置の要部の分解斜視図、（ｂ）は同横断面図である。
【図８】従来例を示す平面図である。
【図９】同裏面図である。
【図１０】同側面図である。
【図１１】同要部の斜視図である。
【符号の説明】
【００４５】
１              シャーシ
２              ヘッドシリンダ
３              ローディングモータ
４              連動機構
５ａ            ピニオン
７              ガイド孔
８              ガイドピン
９              移動台
１０            モードレバー
１０Ａ          モードレバーの一端部
１０Ｂ          モードレバーの他端部
１４，１５      支持片
１４ａ，１４ｂ  支持片の凹部
１６            ローディング機構
１７            ラック
３９            門型押さえ枠
３９ａ          門型押さえ枠の押さえ板
３９ｂ          門型押さえ枠の一方の脚板
３９ｃ          門型押さえ枠の他方の脚板
４１            フック部
４１ａ          フック部の凹溝
４２            係合孔
４３            当て板
４４            挿通孔
４５            ねじ孔
４６            ビス
４８            半球状突起部
４９            抜止孔
５０            舌片
５１            係止孔
５２            略三角状突起部
５２ａ          略三角状突起部の抜止面
５３            抜止孔
【図１】
0003127005.tif 000003
【図２】
0003127005.tif 000004
【図３】
0003127005.tif 000005
【図４】
0003127005.tif 000006
【図５】
0003127005.tif 000007
【図６】
0003127005.tif 000008
【図７】
0003127005.tif 000009
【図８】
0003127005.tif 000010
【図９】
0003127005.tif 000011
【図１０】
0003127005.tif 000012
【図１１】
0003127005.tif 000013